(57)【特許請求の範囲】
【請求項１】
貯蔵室の内部に、滑車を具えると共に、この滑車に載って使用者に引き押しされることにより出し入れされる引出し式の貯蔵容器を具えるものにおいて、
前記滑車を前記貯蔵室の内底面部のほゞ中央に設けると共に、前記貯蔵容器の底面部には前記滑車に載って前記貯蔵用容器を支持する支え部材を、ほゞ中央で前後に延びるように設け、
この支え部材の後部には、前記貯蔵容器の後方の両側部を支える後補助支え部材をＴ字状に一体化し、この後補助支え部材には、前記貯蔵室の内側面部に設けられたレール部内面に接する補助滑車を有することを特徴とする貯蔵庫。
【請求項２】
貯蔵容器の後部左右両側には、後補助支え部材の補助滑車取付部を収納する凹段部を形成したことを特徴とする請求項１に記載の貯蔵庫。
【発明の詳細な説明】
【０００１】
【発明の属する技術分野】
本発明は引出し式の貯蔵容器を有する貯蔵庫に関する。
【０００２】
【従来の技術】
従来より、貯蔵庫、例えば冷蔵庫においては、冷凍室や野菜室といった貯蔵室に、貯蔵容器を引出し式にて出し入れ可能に具えたものが供されている。
図１１ないし図１３は、そのものの従来構造を示しており、中でも、図１１に示すように、貯蔵室１の内底面部の前部の左右両側端部に滑車収納凹部２が形成され、この滑車収納凹部２に、それぞれ、滑車３が、図１２に詳細に示すように、軸４と共に横軸状態で、上半部のみ突出するように収納され、回転自在に設けられている。
【０００３】
これに対して、貯蔵容器５は、図１３に示すように、扉６の扉裏板７に２つの補強板８と各別のねじ９とにより取付けられた２つの支え部材１０によって支えられ、その支え部材１０を、図１１及び図１２に示すように、それぞれ滑車３に載せ、この状態で、貯蔵容器５が、扉６と共に引出し、あるいは押込まれることによって、滑車３を支え部材１０で回転させつつ、出し入れされるようになっている。
【０００４】
なお、支え部材１０には、図１３に示すように、各後端部の外側に補助滑車１１が設けられ、これが、貯蔵容器５の出し入れに伴い、貯蔵室１の左右の両内側面部に図１２に示すように設けられたレール部１２を転動するようになっている。
【０００５】
【発明が解決しようとする課題】
上記従来のものによれば、貯蔵容器５を出し入れするのに、滑車３と、軸４、補強板８、及び支え部材１０がそれぞれ２個ずつ必要であり、コスト高となっていた。
又、貯蔵容器５の出し入れには、滑車３の２個分の回転抵抗が作用することから、その出し入れ操作に力が必要とされていた。
【０００６】
更に、滑車３は、図１２に示すように、軸４の外側長さＬの分、貯蔵室１の内側寄りに位置するものであり、これに支え部材１０が載って、更に、その各内側に貯蔵容器５が位置するため、それらの分、貯蔵容器５の幅Ｗ1 （図１１参照）が制限され、貯蔵容器５の内容積が小さくなっていた。
【０００７】
本発明は上述の事情に鑑みてなされたものであり、従ってその目的は、貯蔵容器の出し入れについての必要部品点数の削減と、出し入れ操作力の軽減、並びに貯蔵容器の内容積の増加を図り得る貯蔵庫を提供するにあって、更に、出し入れ時の安定性等を良好に確保することもできる貯蔵庫を提供するにある。
【０００８】
【課題を解決するための手段】
上記目的を達成するために、本発明の貯蔵庫は、貯蔵室の内部に、滑車を具えると共に、この滑車に載って使用者に引き押しされることにより出し入れされる引出し式の貯蔵容器を具えるものにおいて、前記滑車を前記貯蔵室の内底面部のほゞ中央に設けると共に、前記貯蔵容器の底面部には前記滑車に載って前記貯蔵用容器を支持する支え部材を、ほゞ中央で前後に延びるように設け、この支え部材の後部には、前記貯蔵容器の後方の両側部を支える後補助支え部材をＴ字状に一体化し、この後補助支え部材には、前記貯蔵室の内側面部に設けられたレール部内面に接する補助滑車を有することを特徴とする（請求項１の発明）。
このものによれば、貯蔵容器を出し入れするのに、滑車は１個を要するのみで良く、１個の滑車の回転抵抗が作用するに留め得る。また、１個の滑車に載る貯蔵容器の不安定さを、補助滑車による後補助支え部材両側の支えで抑制することができる。
【００１０】
又、貯蔵容器の後部左右両側には、後補助支え部材の補助滑車取付部を収納する凹段部を形成しても良い（請求項２の発明）。
このものでは、その幅を貯蔵室の内幅ほゞ一杯にまで大きくでき、内容積を増加させることができると共に、貯蔵容器後部両側の支えにより、１個の滑車に載る貯蔵容器の不安定さを抑制することができる。
【００１５】
【発明の実施の形態】
以下、本発明を冷蔵庫に適用して、その第１実施例につき、図１ないし図８を参照して説明する。
まず図２には、冷蔵庫の全体構成を示しており、外箱２１、及びそれの内部に組込んだ内箱２２、並びにそれらの間に充填した断熱材２３（図１参照）から成る本体キャビネット２４の内部に、横仕切壁２５，２６，２７、及び縦仕切壁２８を設けて、上より順に、冷蔵室２９、貯氷室３０及び切換室３１、冷凍室３２、及び野菜室３３を、貯蔵室として形成している。
【００１６】
又、本体キャビネット２４の上部には、冷蔵室２９の前面の開口部を開閉する扉３４を、横開きの回動式に枢設している。これに対し、冷蔵室２９以外の室３０〜３３の各前面の開口部を開閉する扉３５〜３８は、いずれも引出し式にて、それぞれ貯蔵容器３９〜４２を一体化している。
【００１７】
図３は、そのうちの貯氷室３０の扉３５と貯蔵容器３９との一体化構造を示しており、扉３５の扉裏板４３の下側ほゞ中央部に、１つの補強板４４を内側より当て、これに、１つの支え部材４５を外側よりねじ４６により取付けている。なお、扉３５は、扉裏板４３のほかに、扉裏板４３に組合わせる扉表板４７、及び扉裏板４３に取付けるガスケット４８を有しており、扉表板４７と扉裏板４３との間には断熱材４９（図５参照）を充填している。又、扉表板４７には、前側の上部に取手５０を形成している。
【００１８】
一方、支え部材４５は、一枚のやゝ長尺な金属板から成っており、前端部に上述の扉裏板４３への取付けに供した取付部４５ａを上向きに折曲して有し、左右の両側縁部にガイドリブ４５ｂを下向きに折曲して有していて、後端部に、後補助支え部材５１を溶接等によりＴ字状に一体化している。後補助支え部材５１は、やゝ短尺な金属板から成っており、その左右両端部には補助滑車取付部５１ａを上向きに折曲して有し、これの各外側に補助滑車５２をそれぞれ回転自在に取付けている。
【００１９】
更に、扉３５の扉裏板４３には、図４に示すように、Ｌ字形の前補助支え部材５３を、左右の両側下部で互いに向き合うに取付けており、この前補助支え部材５３と、上述の支え部材４５、及び後補助支え部材５１に、貯蔵容器３９を載置し、もって、図５にも示すように、扉３５が、貯蔵容器３９を、前補助支え部材５３と、支え部材４５、及び後補助支え部材５１によって支えるようにしている。又、これにより、支え部材４５は、貯蔵容器３９の外底面部のほゞ中央で前後に延びるように配置されている。
【００２０】
なお、貯蔵容器３９は、図４に示すように、後補助支え部材５１の補助滑車取付部５１ａと対応する後部の左右両側部を凹段部３９ａとして、これに、その補助滑車取付部５１ａを収容しており、それ以外の部分は、両側面間の幅Ｗ11を、貯氷室３０の両側面間の内幅Ｗ12（図１参照）ほゞ一杯に定めている。
又、貯蔵容器３９の外底面の後部には、図６に示すように、２つの突起５４を形成しており、これを後補助支え部材５１に当てて、扉３５引出し時の貯蔵容器３９のずれ止めをするようにしている。
【００２１】
更に、貯蔵容器３９の後部には切欠部５５を形成している。これは、貯氷室３０の内上部に、貯氷検知レバーを垂下状態に有する自動製氷装置（図示せず）を設けているからであって、貯蔵容器３９の出し入れの際の、その貯氷検知レバーと貯蔵容器３９の後部との衝突を避けるためである。自動製氷装置は、自動的に供給される水を庫内の冷気により氷結させて氷を製造し、この製造した氷を貯蔵容器３９内に落下させて貯留させるもので、貯氷検知レバーは、その貯蔵容器３９内の貯氷量を検知して自動製氷装置の製氷動作を制御するのに供するものである。
【００２２】
このほか、図示はしないが、切換室３１の扉３６と貯蔵容器４０との一体化構造、冷凍室３２の扉３７と貯蔵容器４１との一体化構造、及び野菜室３３の扉３８と貯蔵容器４２との一体化構造も、それぞれ、上述の貯氷室３０の扉３５と貯蔵容器３９との一体化構造と同様としている。
【００２３】
以上に対して、貯氷室３０の内底面部のほゞ中央、特にこの場合、前部のほゞ中央には、図１、図７、及び図８に示すように、滑車収納凹部５６を、横仕切壁２６の外板２６ａの型成形により形成しており、この滑車収納凹部５６に、滑車５７を、その中心部を貫通した軸５８と共に横軸状態で、上半部のみ突出するように収納し、回転自在に設けている。
【００２４】
又、貯氷室３０の左右の両内側面部の下部には、前後に延びる固定レール５９を取付けてレール部６０を形成しており、このレール部６０に前記補助滑車５２を収納して、この補助滑車５２がレール部６０の内上面に接するようにし、且つ、滑車５７上に貯蔵容器３９が支え部材４５を介して載るようにして、貯蔵容器３９を貯氷室３０内に収納している。これにより、支え部材４５のガイドリブ４５ｂは、滑車５７の左右の両側面に近接している。
【００２５】
なお、そのほか、貯蔵容器４０，４１も、上述同様にしてそれぞれ切換室３１及び冷凍室３２に収納している。たゞし、貯蔵容器４２に関しては、野菜室３３に滑車５７が設けられておらず、補助滑車５２がレール部６０の内上面に接するだけの構造で、野菜室３３に収納している。
【００２６】
これは、野菜室３３の内底面が、各室に共通する本体キャビネット２４の内箱２２の内底面から成っていて、これに滑車収納凹部５６を形成するには、内箱２２の前後方向に抜いて該内箱２２を成形する型に加えて、それとは直角の方向に抜いて滑車収納凹部５６を形成するスライド型等が必要となり、成形型の複雑化を招来して、困難であるからである。
【００２７】
なお、それに比して、貯氷室３０と切換室３１及び冷凍室３２の内底面は、前記横仕切壁２６，２７の各上面から成っており、これらには、滑車収納凹部５６を、横仕切壁２６，２７の各外板の成形と併せて単純な上下抜きの型で容易に成形できる。
【００２８】
次に、上記構成のものの作用効果を、貯蔵容器３９の出し入れで代表して述べる。
まず、貯蔵容器３９を貯氷室３０内に前述のごとく収納した状態では、扉３５が貯氷室３０の前面の開口部を閉鎖するもので、この状態から、扉３５の取手５０に手をかけて扉３５を手前に引けば、前補助支え部材５３と、支え部材４５、及び後補助支え部材５１が引かれることにより、それらに載った貯蔵容器３９も引かれる。よって、貯蔵容器３９は、支え部材４５を介して滑車５７を回転させつつ引出される。又、このとき、補助滑車５２はレール部６０の内上面下を前方に向かって転動する。
【００２９】
そして、その引出した状態から、扉３５を押込めば、前補助支え部材５３と、支え部材４５、及び後補助支え部材５１が押込まれることにより、それらに載った貯蔵容器３９も押込まれる。よって、貯蔵容器３９は、支え部材４５を介して滑車５７を上述とは反対方向に回転させつつ貯氷室３０内に収納される。又、このとき、補助滑車５２はレール部６０の内上面下を後方（貯氷室３０内の奥方）に向かって転動する。
【００３０】
このように本構成のものでは、滑車５７を貯氷室３０の内底面部のほゞ中央に設けた構成にて、貯蔵容器３９がそのほゞ中央部により滑車５７に載ってそれを回転させつつ出し入れされるもので、滑車５７は１個を要するのみで良い。よって、従来の２個の滑車を要したものより、滑車の使用数を削減できるものであり、それに付随して軸５８もその使用数を従来の２個から１個に減じることができ、必要部品点数の削減ができるから、コストの低減ができる。
【００３１】
又、本構成のものの場合、貯蔵容器３９の出し入れには、従来の２個の滑車の回転抵抗が作用したものに比して、１個の滑車５７の回転抵抗が作用するに留め得るものであり、それによって、貯蔵容器３９の出し入れ操作力を軽減することができる。
【００３２】
加えて、本構成のものの場合、貯蔵容器３９は扉３５に支え部材４５によって支えられ、この支え部材４５により滑車５７に載る構成で、その支え部材４５を、貯蔵容器３９の外底面部のほゞ中央に配置している。これにより、貯蔵容器３９を出し入れするのに、支え部材４５も１個を要するのみに留め得、更にそれに付随して、支え部材４５を扉３５に取付けるための補強板４４も従来の２個から１個に減じることができるので、必要部品点数の一層の削減ができて、コストの一層の低減ができる。
【００３３】
又、この場合、貯蔵容器３９は、滑車５７や支え部材４５が左右の両側に存しないため、それら滑車５７及び支え部材４５による制限を従来のもののように受けることなく、その幅Ｗ11を貯蔵室の内幅Ｗ12ほゞ一杯に大きくできるものであり、内容積を増加させることができる。
【００３４】
そして、扉３５は前補助支え部材５３を有し、これに貯蔵容器３９を載置したことで、該貯蔵容器３９の前部の両側部を支える。これにより、貯蔵容器３９が上述のごとく１個の滑車５７に載って出し入れされる不安定さを解消することができるものであり、貯蔵容器３９を安定性良く出し入れすることができる。
【００３５】
又、支え部材４５は、後部に後補助支え部材５１を有しており、これに貯蔵容器３９の後部を載置したことにより、該貯蔵容器３９の後部の両側部を支える。これにより、上述同様に、貯蔵容器３９が１個の滑車５７に載って出し入れされる不安定さを解消することができるものであり、貯蔵容器３９を安定性良く出し入れすることができる。
【００３６】
更に、後補助支え部材５１は補助滑車５２を有し、これが貯蔵容器３９を出し入れする折り貯氷室３０の内側面部に設けたレール部６０を転動する。これにより、やはり、貯蔵容器３９が１個の滑車５７に載って出し入れされる不安定さを解消することができるものであり、貯蔵容器３９を安定性良く出し入れすることができる。
【００３７】
このほか、支え部材４５は、両側にガイドリブ４５ｂを有し、これが滑車５７の両側面に近接する。これにより、貯蔵容器３９の出し入れの折りの左右方向へのずれ動きを、滑車５７に対するガイドリブ４５ｂの当たりで規制することができるものであり、従って、貯蔵容器３９を左右方向にずれ動かすことも少なく出し入れすることができる。
【００３８】
以上に対して、図９及び図１０は本発明の第２及び第３実施例を示すもので、それぞれ、第１実施例と同一の部分には同一の符号を付して説明を省略し、異なる部分についてのみ述べる。
【００３９】
［第２実施例］
図９に示す第２実施例においては、前述の滑車５７に代えて、滑車７１を使用している。この滑車７１は、滑車５７よりも幅広であり、外周面の左右の両側部に突条７１ａを有している。又、これに対応して、貯氷室３０の内底面部のほゞ中央には、前述の滑車収納凹部５６よりも幅広な滑車収納凹部７２を形成しており、これに、滑車７１を、その中心部を貫通した軸７３と共に横軸状態で、上半部のみ突出するように収納し、回転自在に設けている。
【００４０】
更に、支え部材７４も、前述の支え部材４５より幅広なものであり、その長手方向と直交する方向の中央部には下方に突出する凸部７４ａを形成しており、左右の両側縁部に、前述のガイドリブ４５ｂと同様に機能するガイドリブ７４ｂを形成している。
【００４１】
この構成で、滑車７１には、突条７１ａ上に、支え部材７４の凸部７４ａ両側の部分を載置しており、従って、支え部材７４はそれらの部分でのみ滑車７１と接するもので、滑車７１に対する支え部材７４の接触面積、ひいては貯蔵容器３９の接触面積を小さくできることから、その摩擦抵抗を少なくできて、貯蔵容器３９の出し入れ操作力を一層軽減することができる。
【００４２】
なお、滑車７１は、前述の滑車５７も含めて、貯蔵容器３９及びこれに収容貯蔵される被貯蔵物の重量による回転支承部の摩擦で、回転がやゝ止められ気味であり、滑車７１，５７を有しないものより貯蔵容器３９の出し入れが格段スムーズにできるものの、貯蔵容器３９の出し入れの多少の抵抗となるようになっている。従って、支え部材７４と滑車７１，５７との間にはそれらの接触による摩擦抵抗が生じるが、上述のように滑車７１に対する支え部材７４の接触面積、ひいては貯蔵容器３９の接触面積を、滑車７１の突条７１ａにより小さくできることから、その摩擦抵抗を少なくできて、貯蔵容器３９の出し入れ操作力を軽減することができるのである。
【００４３】
この場合、滑車７１は前述の滑車５７と同じ幅のものであっても良く、それに応じて、滑車収納凹部７２、軸７３、及び支え部材７４も、それぞれ前述の滑車収納凹部５６、軸５８、及び支え部材４５と同寸法のものであっても良い。
又、支え部材７４には凸部７４ａを形成したことで、これが滑車７１の突条７１ａにガイドされ、貯蔵容器３９の出し入れの折りの左右方向へのずれ動きを規制できる効果を奏するが、該凸部７４ａは形成されていなくても良い。更に、ガイドリブ７４ｂも形成されていなくても良い。
【００４４】
［第３実施例］
図１０に示す第３実施例においては、滑車５７の外周面部に断面Ｖ字形の溝部８１を形成し、支え部材４５にはほゞ同形の突部８２を形成して、これを溝部８１に嵌めている。
【００４５】
このものでは、溝部８１がその傾斜面で突部８２をガイドすることで、貯蔵容器３９を出し入れの折り、その中央部を貯氷室３０の中央部に寄せる、いわゆるセンター寄せができ、もって、貯蔵容器３９を左右方向にずれ動かすことなく出し入れすることができる。
なお、この場合も、支え部材４５にはガイドリブ４５ｂが形成されていなくても良い。
【００４６】
そのほか、本発明は上記し且つ図面に示した実施例にのみ限定されるものではなく、特に、貯蔵容器は、基本的には、滑車に直接載る構造であっても良いものであり、全体も、冷蔵庫には限られず、温蔵庫や常温の物品収納庫等であっても良い。
【００４７】
【発明の効果】
本発明は以上説明したとおりのもので、下記の効果を奏する。
請求項１の貯蔵庫によれば、貯蔵容器を出し入れするのに、１個の滑車を要することで、済ませ得るから、必要部品点数の削減ができて、コストの低減ができると共に、貯蔵容器に作用する滑車の回転抵抗を少なくできて、その出し入れに必要な操作力を軽減することができる。又、支え部材も１個を要するのみで良いから、必要部品点数の一層の削除ができ、コストの一層の低減ができる。
【００４９】
請求項２の貯蔵庫によれば、その幅を貯蔵室の内幅ほゞ一杯にまで大きくでき、内容積を増加させることができると共に、貯蔵容器後部両側の支えにより、１個の滑車に載る貯蔵容器の不安定さを抑制することができる。
【図面の簡単な説明】
【図１】本発明の第１実施例を示す主要部分の縦断正面図
【図２】冷蔵庫全体の斜視図
【図３】貯蔵容器とこれを支える部分の分解斜視図
【図４】同部分の組立状態での斜視図
【図５】同部分の同状態での縦断側面図
【図６】同部分の一部の同状態での反転斜視図
【図７】主要部分の拡大縦断正面図
【図８】滑車及び滑車収納凹部部分の拡大縦断正面図
【図９】本発明の第２実施例を示す図８相当図
【図１０】本発明の第３実施例を示す図８相当図
【図１１】従来例を示す図１相当図
【図１２】同図７相当図
【図１３】同図３相当図
【符号の説明】
３０は貯氷室（貯蔵室）、３５は扉、３９は貯蔵容器、４５は支え部材、４５ｂはガイドリブ、５１は後補助支え部材、５２は補助滑車、５３は前補助支え部材、５７は滑車、６０はレール部、７１は滑車、７１ａは突条、７４は支え部材、８１は溝部、８２は突部を示す。
【図１】
0003784968.tif 000002
【図２】
0003784968.tif 000003
【図３】
0003784968.tif 000004
【図４】
0003784968.tif 000005
【図５】
0003784968.tif 000006
【図６】
0003784968.tif 000007
【図７】
0003784968.tif 000008
【図８】
0003784968.tif 000009
【図９】
0003784968.tif 000010
【図１０】
0003784968.tif 000011
【図１１】
0003784968.tif 000012
【図１２】
0003784968.tif 000013
【図１３】
0003784968.tif 000014